(57)【要約】【課題】エクステンションを構成するエクステンション部材の組付作業を容易にした車両用灯具を提供する。【解決手段】灯体内に配置されたエクステンション２により前面側が加飾された車両用灯具であって、エクステンション２は、第１のエクステンション部材３と、第１のエクステンション部材３に取り付けられる第２のエクステンション部材４とを有し、第２のエクステンション部材４は、第１のエクステンション部材３に設けられた突合せ端部６に突き合わされた状態で係合される係合部７と、突合せ端部６と係合される係合位置まで係合部７を案内するガイド部８とを有し、第１のエクステンション部材３の背面側から突合せ端部６に向かって、第２のエクステンション部材４を移動させたときに、ガイド部８が第１のエクステンション部材３の背面側と当接しながら、係合部７が係合位置まで案内される。【選択図】図４
2019023963.tif 000002
【特許請求の範囲】
【請求項１】
灯体内に配置されたエクステンションにより前面側が加飾された車両用灯具であって、
前記エクステンションは、第１のエクステンション部材と、前記第１のエクステンション部材に組み付けられる第２のエクステンション部材とを有し、
前記第２のエクステンション部材は、前記第１のエクステンション部材に設けられた突合せ端部に突き合わされた状態で係合される係合部と、前記突合せ端部と係合される係合位置まで前記係合部を案内するガイド部とを有し、
前記第１のエクステンション部材の背面側から前記突合せ端部に向かって、前記第２のエクステンション部材を移動させたときに、前記ガイド部が前記第１のエクステンション部材の背面側と当接しながら、前記係合部が前記係合位置まで案内されることを特徴とする車両用灯具。
【請求項２】
前記第１のエクステンション部材の背面側から前記突合せ端部に向かって、前記突合せ端部と前記係合部とが係合される高さよりも低い位置から、前記第２のエクステンション部材を移動させることによって、前記ガイド部が前記第１のエクステンション部材の背面側と当接しながら、前記係合部が前記係合位置まで案内されることを特徴とする請求項１に車両用灯具。
【請求項３】
前記第２のエクステンション部材は、前記第１のエクステンション部材に設けられた切欠き凹部に嵌め込まれた状態で、前記第１のエクステンション部材に組み付けられていることを特徴とする請求項１又は２に記載の車両用灯具。
【請求項４】
前記エクステンションは、前記第１のエクステンション部材の背面側に取り付けられた第３のエクステンション部材を有し、
前記第２のエクステンション部材は、前記突合せ端部と前記係合部とが係合された状態で、前記第３のエクステンション部材に取り付けられていることを特徴とする請求項１〜３の何れか一項に記載の車両用灯具。
【請求項５】
前記第２のエクステンション部材は、前記第３のエクステンション部材に取り付けられた状態において、その撓み変形によって前記係合部が前記突合せ端部と係合される方向に付勢されていることを特徴とする請求項４に記載の車両用灯具。
【発明の詳細な説明】
【技術分野】
【０００１】
本発明は、車両用灯具に関する。
【背景技術】
【０００２】
従来より、車両用灯具の意匠性を高めるため、灯体内に配置された意匠部品であるエクステンションによって、車両用灯具の前面側を加飾することが行われている（例えば、特許文献１，２を参照。）。
【先行技術文献】
【特許文献】
【０００３】
【特許文献１】特開２０１０−２１００２号公報
【特許文献２】特開２０１６−２９６１９号公報
【発明の概要】
【発明が解決しようとする課題】
【０００４】
ところで、上述したエクステンションの中には、一方のエクステンション部材の一部を構成する他方のエクステンション部材が、一方のエクステンション部材に設けられた切欠き凹部に嵌め込まれた状態で、一方のエクステンション部材に組み付けられたものがある。
【０００５】
しかしながら、切欠き凹部に他方のエクステンション部材を嵌め込む際に、他方のエクステンション部材の形状などによって、他方のエクステンション部材が一方のエクステンション部材と干渉することがある。
【０００６】
この場合、切欠き凹部よりも低い位置から、他方のエクステンション部材を切欠き凹部に向けて移動させながら、この他方のエクステンション部材を切欠き凹部に嵌め込むといった複雑な組付作業が必要となっている。
【０００７】
特に、エクステンションでは、加飾部分が傷付くことが無いように組付作業を行わなければならず、切欠き凹部に対する他方のエクステンション部材の位置決めが非常に難しくなっている。
【０００８】
本発明は、このような従来の事情に鑑みて提案されたものであり、エクステンションを構成するエクステンション部材を容易に組み付けることを可能とした車両用灯具を提供することを目的とする。
【課題を解決するための手段】
【０００９】
上記目的を達成するために、本発明は以下の手段を提供する。
〔１〕  灯体内に配置されたエクステンションにより前面側が加飾された車両用灯具であって、
前記エクステンションは、第１のエクステンション部材と、前記第１のエクステンション部材に組み付けられる第２のエクステンション部材とを有し、
前記第２のエクステンション部材は、前記第１のエクステンション部材の突合せ端部に突き合わされた状態で係合される係合部と、前記突合せ端部と係合される係合位置まで前記係合部を案内するガイド部とを有し、
前記第１のエクステンション部材の背面側から前記突合せ端部に向かって、前記第２のエクステンション部材を移動させたときに、前記ガイド部が前記第１のエクステンション部材の背面側と当接しながら、前記係合部が前記係合位置まで案内されることを特徴とする車両用灯具。
〔２〕  前記第１のエクステンション部材の背面側から前記突合せ端部に向かって、前記突合せ端部と前記係合部とが係合される高さよりも低い位置から、前記第２のエクステンション部材を移動させることによって、前記ガイド部が前記第１のエクステンション部材の背面側と当接しながら、前記係合部が前記係合位置まで案内されることを特徴とする前記〔１〕に車両用灯具。
〔３〕  前記第２のエクステンション部材は、前記第１のエクステンション部材に設けられた切欠き凹部に嵌め込まれた状態で、前記第１のエクステンション部材に組み付けられていることを特徴とする前記〔１〕又は〔２〕に記載の車両用灯具。
〔４〕  前記エクステンションは、前記第１のエクステンション部材の背面側に取り付けられた第３のエクステンション部材を有し、
前記第２のエクステンション部材は、前記突合せ端部と前記係合部とが係合された状態で、前記第３のエクステンション部材に取り付けられていることを特徴とする前記〔１〕〜〔３〕の何れか一項に記載の車両用灯具。
〔５〕  前記第２のエクステンション部材は、前記第３のエクステンション部材に取り付けられた状態において、その撓み変形によって前記係合部が前記突合せ端部と係合される方向に付勢されていることを特徴とする前記〔４〕に記載の車両用灯具。
【発明の効果】
【００１０】
以上のように、本発明によれば、エクステンションを構成するエクステンション部材を容易に組み付けることを可能とした車両用灯具を提供することが可能である。
【図面の簡単な説明】
【００１１】
【図１】本発明の一実施形態に係る車両用灯具が備えるエクステンションを前面側から見た斜視図である。
【図２】図１に示すエクステンションを前面側から見た分解斜視図である。
【図３】図１に示すエクステンションの要部を拡大した斜視図である。
【図４】図１中に示す線分Ａ−Ａによるエクステンションの断面図である。
【図５】図１中に示す線分Ｂ−Ｂによるエクステンションの断面図である。
【発明を実施するための形態】
【００１２】
以下、本発明の実施形態について、図面を参照して詳細に説明する。
本発明の一実施形態として、例えば図１〜図５に示す車両用灯具１について説明する。
なお、図１は、車両用灯具１が備えるエクステンション２を前面側から見た斜視図である。図２は、エクステンション２を前面側から見た分解斜視図である。図３は、エクステンション２の要部を拡大した斜視図である。図４は、図２中に示す線分Ａ−Ａによるエクステンション２の断面図である。図５は、図２中に示す線分Ｂ−Ｂによるエクステンション２の断面図である。
【００１３】
また、以下に示す図面では、ＸＹＺ直交座標系を設定し、Ｘ軸方向を車両用灯具の前後方向（長さ方向）、Ｙ軸方向を車両用灯具の左右方向（幅方向）、Ｚ軸方向を車両用灯具１の上下方向（高さ方向）として、それぞれ示すものとする。
【００１４】
本実施形態の車両用灯具１は、例えば、車両（図示せず。）の前端側の両コーナー部（本実施形態では左前端側のコーナー部）に搭載される車両用前照灯（ヘッドランプ）に本発明を適用したものである。なお、以下の説明において、「前」「後」「左」「右」「上」「下」との記載は、特に断りのない限り、車両用灯具１を正面（車両前方）から見たときのそれぞれの方向を意味するものとする。
【００１５】
本実施形態の車両用灯具１は、図１及び図２に示すように、意匠部品であるエクステンション２を備えている。本実施形態の車両用灯具１では、このようなエクステンション２を灯体（図示せず。）内に配置することによって、車両用灯具１の前面側を加飾し、この車両用灯具１の意匠性を高めることが行われている。
【００１６】
なお、本実施形態では、本発明の特徴部分であるエクステンション２のみを図示しているが、車両用前照灯に本発明を適用した場合、車両用灯具１は、前面が開口した合成樹脂製のハウジングと、ハウジングの開口を覆う透明なレンズカバーとにより構成される灯体の内側に、車両前方に向けて光を照射する光源ユニットを配置した構成を有している。エクステンション２は、灯体の内側に収容された状態で、この光源ユニットの前面側に配置されている。
【００１７】
具体的に、このエクステンション２は、図１〜図３に示すように、第１のエクステンション部材３と、第１のエクステンション部材３の一部を構成するように第１のエクステンション部材３に組み付けられた第２のエクステンション部材４とを概略備えている。
【００１８】
第１のエクステンション部材３は、全体として枠状に形成された合成樹脂成形体からなり、その前面側がアルミニウム蒸着による銀面を構成している。第１のエクステンション部材３は、エクステンション２の本体部分を構成しており、この第１のエクステンション部材３に対して第２のエクステンション部材４が組み付けられている。また、この第１のエクステンション部材３には、開口部３ａが設けられている。
【００１９】
第２のエクステンション部材４は、全体として板状に形成された樹脂成形体からなり、その前面側が黒色に塗装された黒面を構成している。第２のエクステンション部材４は、第１のエクステンション部材３の一部を構成するように、この第１のエクステンション部材３の下部側に設けられた切欠き凹部５に嵌め込まれた状態で、第１のエクステンション部材３にネジ止めにより取り付けられている。また、第１のエクステンション部材３の下部側は、第２のエクステンション部材４と連続した面を形成すると共に、黒色に塗装された黒面を構成している。
【００２０】
第２のエクステンション部材４は、図４及び図５に示すように、第１のエクステンション部材３に設けられた突合せ端部６に突き合わされた状態で係合される係合部７と、突合せ端部６と係合される係合位置（図中の破線で示す位置）まで係合部７を案内するガイド部８とを有している。
【００２１】
突合せ端部６は、切欠き凹部５を形成する第１のエクステンション部材３の背面側の端部により構成されている。係合部７は、第２のエクステンション部材４の前端部に沿って設けられた段差部からなる。ガイド部８は、第２のエクステンション部材４の前端部から係合部７よりも下方に向かって突出された突起部からなる。
【００２２】
第２のエクステンション部材４は、図３中の囲み部分Ｘに示すように、切欠き凹部５に嵌め込む際に、第１のエクステンション部材３の背面側から切欠き凹部５の内側に向かって移動させたときに、切欠き凹部５を形成する第１のエクステンション部材３の一部と干渉することなる。
【００２３】
このような干渉を防ぐため、本実施形態では、図５に示すように、第１のエクステンション部材３の背面側から突合せ端部６に向かって、突合せ端部６と係合部７とが係合される高さよりも低い位置から、第２のエクステンション部材４を移動させる。これにより、ガイド部８が第１のエクステンション部材３の背面側と当接しながら、係合部７が係合位置まで案内される。そして、第２のエクステンション部材４が上方に移動しながら切欠き凹部５に嵌め込まれることによって、突合せ端部６と係合部７とが係合された状態となる。
【００２４】
このように、本実施形態では、ガイド部８が第１のエクステンション部材３の背面側と当接しながら、係合部７が係合位置まで案内されるため、切欠き凹部５に対する第２のエクステンション部材４の位置決めが容易となっている。
【００２５】
エクステンション２は、第１のエクステンション部材３の背面側に取り付けられた第３のエクステンション部材９を有している。第２のエクステンション部材４は、上述した突合せ端部６と係合部７とが係合された状態で、第３のエクステンション部材９にネジ止めにより取り付けられている。
【００２６】
具体的に、第２のエクステンション部材４には、図５に示すように、ビス１０を貫通させる貫通孔１１が設けられている。これに対して、第３のエクステンション部材９の背面側には、ビス１０が螺合されるネジ穴１２が設けられている。
【００２７】
これにより、第２のエクステンション部材４は、ビス１０が貫通孔１１を貫通した状態でネジ穴１２に螺合されることによって、第３のエクステンション部材９の背面側に固定される。
【００２８】
また、第２のエクステンション部材４は、第３のエクステンション部材９に取り付けられた状態において、その撓み変形によって係合部７が突合せ端部６と係合される方向に付勢されている。これにより、突合せ端部６と係合部７との係合部分におけるガタツキの発生を防ぐことが可能である。
【００２９】
以上のような構成を有する本実施形態の車両用灯具１では、上述した切欠き凹部５に第２のエクステンション部材４を嵌め込む際に、第１のエクステンション部材３との干渉を回避しながら、第２のエクステンション部材４を第１のエクステンション部材３に対して容易に組み付けることが可能である。
【００３０】
なお、本発明は、上記実施形態のものに必ずしも限定されるものではなく、本発明の趣旨を逸脱しない範囲において種々の変更を加えることが可能である。
例えば、上記実施形態では、車両用前照灯（ヘッドランプ）に本発明を適用した場合を例示したが、本発明が適用される車両用灯具については、上述したフロント側の車両用灯具に限らず、例えばリアコンビネーションランプなどのリア側の車両用灯具に本発明を適用することも可能である。
【符号の説明】
【００３１】
１…車両用灯具  ２…エクステンション  ３…第１のエクステンション部材  ４…第２のエクステンション部材  ５…切欠き凹部  ６…突合せ端部  ７…係合部  ８…ガイド部  ９…第３のエクステンション部材  １０…ビス  １１…貫通孔  １２…ネジ穴
【図１】
2019023963.tif 000003
【図２】
2019023963.tif 000004
【図３】
2019023963.tif 000005
【図４】
2019023963.tif 000006
【図５】
2019023963.tif 000007